(57)【要約】 【課題】  ハンドルクリック機構のスプリングの耐久性を図ること。【解決手段】  扉開閉用ハンドルクリック機構は、フックレバー１６の支持部２０に支持された上部支持球２７と、前記取付け本体の収納部９内に固定的に設けられた支持板３１に支持された下部支持球２８と、上端部が前記上部支持球２７に、一方、下端部が前記下部支持球２８に支持されたスプリング２９と、該スプリングが左右に振れないように該スプリングを内装し、かつ、前記支持部２０と支持板３１の下壁部３２との間に揺動自在に介在するバネ保持筒３０とから成ることを特徴とする。【選択図】  図１０
2005061037.tif 000002
【特許請求の範囲】
【請求項１】
開閉体の外壁面に添設状態に固定され、かつ、ハンドルクリック機構と、このハンドルクリック機構のスプリングのバネ力が作用するように取付け本体に枢軸を介して起立乃至傾倒自在に設けられたフックレバーとを備えた扉開閉用ハンドル掛け金装置に於いて、前記ハンドルクリック機構２６は、フックレバー１６の支持部２０に支持された上部支持球２７と、前記取付け本体３の収納部９内に固定的に設けられた支持板３１に支持された下部支持球２８と、上端部が前記上部支持球２７に、一方、下端部が前記下部支持球２８に支持されたスプリング２９と、該スプリングが左右に振れないように該スプリングを内装し、かつ、前記支持部２０と支持板３１の下壁部３２との間に揺動自在に介在するバネ保持筒３０とから成ることを特徴とする扉開閉用ハンドル掛け金装置。
【請求項２】
請求項１に於いて、支持板３１は、枢軸１５の両端部を抑えるストッパ機能と、フックレバー１６が完全傾倒した時に該フックレバー１６の下端部を受け止めるストッパ機能の両方を有することを特徴とする扉開閉用ハンドル掛け金装置。
【請求項３】
開閉体の外壁面に添設状態に固定され、かつ、ハンドルクリック機構と、このハンドルクリック機構のスプリングのバネ力が作用するように取付け本体に枢軸を介して起立乃至傾倒自在に設けられたフックレバーとを備えた扉開閉用ハンドル掛け金装置に於いて、前記ハンドルクリック機構は、フックレバー１６の支持部２０に支持された上部支持球２７と、取付け本体３Ａの収納部９Ａの下方壁部９ａに支持された下部支持球２８と、上端部が前記上部支持球２７に、一方、下端部が前記下部支持球２８に支持されたスプリング２９と、該スプリングが左右に振れないように該スプリングを内装し、かつ、前記支持部２０と取付け本体の下方壁部９ａとの間に揺動自在に介在するバネ保持筒３０とから成ることを特徴とする扉開閉用ハンドル掛け金装置。
【請求項４】
請求項３に於いて、支持板３１Ａは、枢軸１５の両端部を抑えるストッパ機能を有することを特徴とする扉開閉用ハンドル掛け金装置。
【請求項５】
請求項３に於いて、収納部９Ａの下方壁部９ａには、フックレバー１６が完全傾倒した時に該フックレバー１６の下端部を受け止める突起状ストッパ部分３６Ａを有することを特徴とする扉開閉用ハンドル掛け金装置。
【発明の詳細な説明】
【技術分野】
【０００１】
本発明は、扉開閉用ハンドル掛け金装置に関する。
【背景技術】
【０００２】
先行技術して一番近いものは、特許文献１である。この特許文献１に記載の扉開閉用ハンドル掛け金装置のハンドルクリック機構は、基本的には、「フックレバーの支持部に支持された上部支持棒と、この上部支持棒に対向するように取付け本体の収納部の下方壁部に取付けられた下部支持棒と、これらの支持棒に上下の端部がそれぞれ支持され、かつ、フックレバーの回動に対応して左右対称に横揺れするスプリングとから成る」ことを特徴とする。この特許文献１の問題点は、前記スプリングが左右対称に横揺れするため、その耐久性に問題点があった。
【特許文献１】特公平７−６５４２０号公報
【特許文献２】特公平７−６５４２１号公報
【特許文献３】特開２００２−２２７４９４号公報
【発明の開示】
【発明が解決しようとする課題】
【０００３】
本発明の第１の目的は、ハンドルクリック機構を構成するスプリングにバネ部材としての本来的な働きをさせ、耐久性の向上を図ること。第２の目的は、複数個のストッパ機能を有する支持板を取付け本体の収納部に固定することにより、ハンドルクリック機構を構成する支持球を合理的に支持することができると共に、取付け本体の収納部の形態をシンプル化すること。第３の目的は、各部材を簡単に組み合わせることができることである。
【課題を解決するための手段】
【０００４】
本発明の扉開閉用ハンドル掛け金装置は、開閉体の外壁面に添設状態に固定され、かつ、ハンドルクリック機構と、このハンドルクリック機構のスプリングのバネ力が作用するように取付け本体に枢軸を介して起立乃至傾倒自在に設けられたフックレバーとを備えた扉開閉用ハンドル掛け金装置に於いて、前記ハンドルクリック機構２６は、フックレバー１６の支持部２０に支持された上部支持球２７と、前記取付け本体３の収納部９内に固定的に設けられた支持板３１に支持された下部支持球２８と、上端部が前記上部支持球２７に、一方、下端部が前記下部支持球２８に支持されたスプリング２９と、該スプリングが左右に振れないように該スプリングを内装し、かつ、前記支持部２０と支持板３１の下壁部３２との間に揺動自在に介在するバネ保持筒３０とから成ることを特徴とする。
【０００５】
また、本発明の扉開閉用ハンドル掛け金装置は、開閉体の外壁面に添設状態に固定され、ハンドルクリック機構と、このハンドルクリック機構のスプリングのバネ力が作用するように取付け本体に枢軸を介して起立乃至傾倒自在に設けられたフックレバーとを備えた扉開閉用ハンドル掛け金装置に於いて、前記ハンドルクリック機構は、フックレバー１６の支持部２０に支持された上部支持球２７と、取付け本体３Ａの収納部９Ａの下方壁部９ａに支持された下部支持球２８と、上端部が前記上部支持球２７に、一方、下端部が前記下部支持球２８に支持されたスプリング２９と、該スプリングが左右に振れないように該スプリングを内装し、かつ、前記支持部２０と取付け本体の下方壁部９ａとの間に揺動自在に介在するバネ保持筒３０とから成ることを特徴とする。
【発明の効果】
【０００６】
（１）請求項１又は請求項２に記載の発明は、フックレバーを起立乃至傾倒させた場合に、スプリングにバネ部材としての本来的な働きをさせることができる。その結果、スプリングの耐久性の向上を図ることができる。
【０００７】
（２）ストッパ機能を有する支持板を取付け本体の収納部に固定することにより、ハンドルクリック機構を構成する部材を合理的に支持することができると共に、取付け本体の収納部の形態をシンプル化することができる。
【０００８】
（３）各部材を簡単に組み合わせることができる。
【発明を実施するための最良の形態】
【０００９】
以下、図面に示す本発明を実施するための最良の形態により、本発明を詳細に説明する。図１乃至１１図は、本発明の第１実施例を示す各説明図である。
１は車輌の扉、倉庫の扉など開閉扉である。車輌の一例として観音扉を備えた宅配便を挙げることができる。扉は観音扉如何を問わない。
【００１０】
２は長杆状の操作ハンドルで、この操作ハンドルは、一端部が一方の扉の外壁面、倉庫の支柱等に枢支され、他端部が他方の扉（開閉扉）１の外壁面に固定された扉開閉用ハンドル掛け金装置Ｘに掛止めされる。
【００１１】
ハンドル掛け金装置Ｘは、バー状操作ハンドル２の自由端部を受け止めるために開閉扉１の適宜箇所に取付け板を介して、又は介さないで固定される。ハンドル掛け金装置Ｘの構成を区分けして説明する。なお、本発明の特定要件に関係のない事項や細部的事項の説明は割愛する。
【００１２】
（１）取付け本体
縦長状の取付け本体３は、開閉扉１の外壁面に固着手段を介して垂直状態に添設される。そのためにやや肉厚の取付けベース部４の適宜箇所（例えば上端部側）に固着具用のネジ孔５．５が複数個形成されている。
【００１３】
図１で示すように、取付けベース部４の下端面は水平状であり、一方、上端面は弧状に形成されている。また、取付けベース部４の中央部（下端部寄りの部位も含む）には、後述するフックレバー１６が枢軸１５を介して前後に揺動することができるように開口部６が形成されている。この開口部６は、図５で示すように取付けベース部４の中央部寄りの部位から下端部にかけて隆起状に形成されたケース状支持部或いは隆起支持部７に対して形成されている。
【００１４】
隆起支持部７の中央部には、図１で示すように操作ハンドル２用のＵ字状切欠部８が形成され、該切欠部８は幅広の前記開口部６と連通している。開口部６は切欠部８よりも幅広であり、隆起支持部７まで奥深く形成されているため、本実施例ではハンドルクリック機構２６用の収納部９となっている。
【００１５】
隆起支持部７の上端部には、Ｕ字状切欠部８の一部を形成する左右１対の指先状係止部１０．１０が突出形成されている。なお、隆起支持部７の下端部には錠手段１１が設けられているが、本発明の特定要件ではないので説明を割愛する。
【００１６】
（２）枢軸
棒状枢軸１５は水平軸であり、取付け本体３の中央部にフックレバー１６を介して横設軸架される。枢軸１５は、本実施例では、前述した収納部９の内壁面の左右１対の切欠状軸受け部１７．１７に嵌脱する。すなわち、枢軸１５の両端部は切欠状軸受け部１７．１７に嵌め込まれ、後述する支持板３１に支持される。したがって、支持板３１を取り外すと、フックレバー１６を取付け本体３から簡単に取り外すことができる。
【００１７】
（３）フックレバー
フックレバー１６は指先状の上端部を除き、その余の部分が隆起支持部７のＵ字状切欠部８内に位置するように遊嵌合する。そして、フックレバー１６は、その中央部の水平軸孔２４を貫通する枢軸１５を支点に所定角度の範囲内で前後方向に回動する。
【００１８】
換言すれば、フックレバー１６は、中央部（中央部寄りの部位も含む）が水平軸１５を介して隆起支持部７に軸支され、水平軸１５を支点にして起立乃至傾倒自在に回動する。
【００１９】
しかして、フックレバー１６は、その正面視に於いて、指状の形態をしており、外壁面の下端部には指を押し当てるための浅い凹所１８が形成されている。また枢軸１５を基準にしてフックレバー１６の内壁面の上部側には、端面或いは断面横向き凹所状の操作ハンドル２用受け入れ部１９が形成されている。
【００２０】
フックレバー１６の上端部側は、図１０で示すように、親指を折り曲げたような格好をしている。一方、フックレバー１６の下端部側にはブロック形状の支持部２０が設けられている。支持部２０はハンドルクリック機構２６を構成する上部支持球２７を支持する受け孔２１を有している。
【００２１】
２２は受け入れ部１９の一部を構成する指先状の当接部で、この当接部２２はフックレバー１６を閉じた時に取付けベース部４の上壁面に「ポン」と衝突する。また２３も受け入れ部１９の一部を構成する突起部で、この突起部２３の内壁底面は、フックレバー１６を閉じた時に前述した左右１対の係止部１０．１０の内壁底面と略同一平面（面一）となる。２４は中央部の水平軸孔で、この水平軸孔２４には前述したように棒状枢軸１５が貫入される（図５参照）。
【００２２】
（４）ハンドルクリック機構
図４乃至図１１を参照にしてハンドルクリック機構２６を説明する。２７はフックレバー１６の支持部２０の受け孔２１に支持された上部支持球、２８は支持板３１の受け孔３３に支持された下部支持球、２９は上端部が前記上部支持球２７の球面状突出部分に、一方、下端部が前記下部支持球２８の球面状突出部分に支持されたバネ部材としてのスプリング、３０はスプリングが左右に振れないように該スプリングを内装し、かつ、前記フックレバー１６の支持部２０の下端面２０ａと支持板３１の受け孔３３を有する下壁部３２との間に揺動自在に介在するバネ保持筒である。このバネ保持筒３０の上下の端縁部は、本実施例では上部支持球２７又は／及び下部支持球２８の球面状突出部分に摺動可能であると共に、フックレバー１６の回動に対応して支持部２０の下端面２０ａと支持板３１の下壁部３２の上面３２ａに交互に当接可能である。
【００２３】
ところで、前記上部支持球２７及び下部支持球２８は、パチンコの弾球のように形成され、材質は金属である。また、前記スプリング２９は圧縮コイルばねである。さらに、バネ保持筒３０は金属製の短筒体である。
【００２４】
（５）ハンドルクリック機構の作用
ハンドルクリック機構２６を構成するスプリング２９は保持筒３０に保持されているから、スプリング２９の本来的な使用（スプリングの長さ方向にのみ伸縮し、左右に振れないこと）が可能になる。
【００２５】
図１０はフックレバー１６を所定角度の範囲内で前後方向に回動した場合に於いて、スプリング２９の伸縮状態を示す。図１０ではフックレバー１６の当接部２２が取付けベー部４に当接した起立状態の図（１）と、フックレバー１６の当接部２２が取付けベー部４から離れた中間状態の図（２）と、フックレバー１６の当接部２２が取付けベー部４から完全に離れた傾倒状態の図（３）とがそれぞれ示されている。
【００２６】
これらの作用図から明らかなように、フックレバー１６がそれぞれ完全に開閉した前記図（３）と図（１）の時は、スプリング２９は保持筒３０内で伸長する。一方、図（２）の中間状態の時は、枢軸１５と、上部支持球２７と、下部支持球２８の中心を結ぶ線Ｌ１が略直線状になるので、スプリング２９は保持筒３０内で収縮する。
【００２７】
この点について敷衍すれば、図（２）の場合の枢軸１５の中心ａと下部支持球２８の中心ｂ間の長さは、図（３）又は図（１）に比して短いから、図（２）の場合の中途時、スプリング２９は保持筒３０内でそのバネ力に抗してそのまま収縮する。
【００２８】
これに対して図（３）・図（１）の開閉時、前記Ｌ１は、「逆く」の字状、又は「く」の字状のＬ２となってしまうので、前記中心ａと中心ｂ間の長さは中途時のそれよりも長くなり、スプリング２９は保持筒３０内でそのバネ力によりそのまま伸長する。
【００２９】
（６）支持板
主に図５、図６、図７を参照にして支持板３１について説明する。支持板３１は取付け本体３の収納部９に複数個の固着具４０を介して適宜に固定される。前述したように、３２は受け孔３３を有する下壁部である。受け孔３３はやや傾斜状の中央部に形成されている。下壁部３２の端縁部は下方に折り曲げ形成され、収納部９の内壁底面に当接している。
【００３０】
３４は下壁部３２に交差状に連設する左右１対のストッパ部である。これらのストッパ部３４．３４の上端部には、固着具４０用の取付け孔３５．３５が形成されている。本実施例の支持板３１のストッパ部３４．３４は、前述したように枢軸１５の両端部を抑えるストッパ機能と、フックレバー１６が完全傾倒した時に該フックレバー１６の下端部を受け止めるストッパ機能の両方がある。
【００３１】
支持板３１の形態については、任意に設形変更可能であり、例えばフックレバー１６の下端部を受け止める突起状ストッパ部分３６．３６は、単数又は複数個形成することができる。
【実施例】
【００３２】
この欄では本発明の第２の実施例について説明する。なお、この第２実施例は前記第１実施例と技術的思想が同一なので、同一の部分には同一または同様の符号を付して重複する説明を省略する。
【００３３】
図１２乃至図１３に示す第２実施例に於いて、前記第１実施例と主に異なる点は、第１実施例のハンドルクリック機構の下部支持球２８は、取付け本体３の収納部９内に固定的に設けられた支持板３１に支持されているが、第２実施例の下部支持球２８は、取付け本体３Ａの収納部９Ａの下方壁部９ａに直接支持されている。
【００３４】
第１実施例を回避しようとすれば、例えば収納部９Ａの下方壁部９ａをやや肉厚にして、該下方壁部９ａに下部支持球２８用の受け部（受け孔、支持孔、支持突起など）を形成することができる。
【００３５】
このように取付け本体３Ａに下部支持球２８用の支持機能を持たせても、前記第１実施例と同一の作用・効果がある。
【００３６】
ところで、第２実施例のように設計変更した場合には、支持板３１Ａ等の形態も当然変わり、支持板３１Ａに枢軸１５の両端部を抑えるストッパ機能のみを付与すれば良い。また、従来の実施例のように、フックレバー１６が完全傾倒した時に該フックレバー１６の下端部を受け止める突起状ストッパ部分３６Ａを取付け体３Ａの収納部９Ａの下方壁部９ａに設けても良い。
【産業上の利用可能性】
【００３７】
本発明は、主にバン型の車輌の後部や側部の開閉扉に取付けられる。
【図面の簡単な説明】
【００３８】
図１乃至図１１は本発明の最良の実施例を示す各説明図。図１２及び図１３は本発明の第２実施例を示す各説明図。
【図１】開閉扉の外壁面に取付ける場合の正面からの説明図。
【図２】平面からの説明図。
【図３】右側面からの説明図。
【図４】本発明の主要部を含む概略縦断面説明図。
【図５】本発明の分解斜視図。
【図６】主要部の斜視図（支持板、フックレバー、ハンドルクリック機構を組み合わせている）。
【図７】取付け本体の収納部側から見た概略説明図（フックレバーを閉じた時）。
【図８】図７を基準にした左側面図。
【図９】ハンドルクリック機構の概略断面説明図。
【図１０】ハンドルクリック機構の作用を示す説明図。
【図１１】取付け本体の収納部側から見た概略説明図（フックレバーを開いた時）。
【図１２】第２実施例の図４と同様の概略縦断面説明図。
【図１３】第２実施例の図７と同様の説明図。
【符号の説明】
【００３９】
Ｘ…扉開閉用ハンドル掛け金装置、1…開閉扉、２…操作ハンドル、３．３Ａ…取付け本体、４…取付けベース部、６…開口部、７…隆起支持部、８…切欠部、９．９Ａ…収納部、９ａ…下方壁部、１０…係止部、１５…枢軸、１６…フックレバー、１７…軸受け部、２０…支持部、２２…当接部、２３…突起部、２４…水平軸孔、２６…ハンドルクリック機構、２７…上部支持球、２８…下部支持球、２９…係合腕、３０…バネ保持筒、３１．３１Ａ…支持板、３２…下壁部、３４…ストッパ部、３６．３６Ａ…ストッパ部分、４０…固着具。
【図１】
2005061037.tif 000003
【図２】
2005061037.tif 000004
【図３】
2005061037.tif 000005
【図４】
2005061037.tif 000006
【図５】
2005061037.tif 000007
【図６】
2005061037.tif 000008
【図７】
2005061037.tif 000009
【図８】
2005061037.tif 000010
【図９】
2005061037.tif 000011
【図１０】
2005061037.tif 000012
【図１１】
2005061037.tif 000013
【図１２】
2005061037.tif 000014
【図１３】
2005061037.tif 000015